(57)【特許請求の範囲】
【請求項１】
キー操作部のキー操作による設定コードによりキーの操作に基づく処理を無効化する誤操作防止モードとなり、該キー操作部のキー操作による解除コードにより前記誤操作防止モードを解除して通常モードに復帰するように制御する制御手段を備えた携帯電話機において、
電話機本体のグリップ部にタッチセンサが設けられ、
前記制御手段は、そのタッチセンサが作動されたときには前記キー操作部のいずれかのキーが操作されたことを条件に前記誤操作防止モードを所定時間だけ解除し、その解除中にキー操作があったときにはそのキー操作に基づいて所定時間だけ前記誤操作防止モードを再度解除することを特徴とする携帯電話機。
【発明の詳細な説明】
【０００１】
【発明の属する技術分野】
本発明は、誤操作防止機能を備えた携帯電話機に関する。
【０００２】
【発明が解決しようとする課題】
携帯電話機においては、鞄或いは着衣のポケットに収納保管しているときに、キー操作部のキーに他の収納物品或いは使用者の指があたって使用者の知らないうちに発信状態になって電池を消耗するという問題がある。
このため、従来では、キー操作部のキー操作によって設定コードを入力することによりキーの操作に基づく処理を無効化する誤操作防止モードとし、該キー操作部のキー操作によって解除コードを入力することにより前記誤操作防止モードを解除して通常モードに復帰するように構成した携帯電話機が供されており、誤操作防止モードに設定することにより上述したような問題を解消するようにしたものである。
【０００３】
ところが、上記のような従来構成では、誤操作防止モードの設定中に例えば着信があったときには、使用者は着信に応答すべく解除コードのキー操作を行なった上で「開始」キーの操作を行なわなければならないので、操作が煩雑であり、特に、着信時には早急に応答しようとするので、慌ててキー操作を行なうのが通常であり、解除コードのキー操作を誤ったり或いは解除コードのキー操作の仕方を度忘れしたりして、なかなか誤操作防止モードを解除できないという不具合がある。
【０００４】
そして、着信に応答した後には、再びキー操作により設定コードを入力して誤操作防止モードに設定するのであるが、この設定操作を忘れることが往々にしてあり、又、解除操作の煩わしさから誤操作防止モードの設定を行なわない使用者もあり、誤操作防止機能を有効に利用できない不具合もある。
尚、慌てて誤操作防止モードを解除する必要がある場合としては、１１０番通報、１１９番通報などの緊急発信が考えられる。
【０００５】
本発明は上記事情に鑑みてなされたものであり、その目的は、簡単な操作で誤操作防止モードを解除することができるとともに、誤操作防止モードに自動的に復帰させることができ、しかも、不必要に誤操作防止モードを解除することがない携帯電話機を提供することにある。
【０００６】
【課題を解決するための手段】
本発明によれば、使用者が電話機本体のグリップ部を握ることによりタッチセンサを作動させたときには、キー操作部のいずれかのキーが操作されたことを条件に誤操作防止モードが所定時間だけ解除されるので、キー操作部のキー操作により解除コードを入力しなくても通常モードに戻るようになり、従って、誤操作防止モードにあっても、着信応答或いは緊急発信などの通常動作を行なう場合に慌てて解除モードのキー操作を行なう必要がなくて、操作が簡単になり、更に、所定時間後には誤操作防止モードに自動的に戻るので、利便性に優れたものとなって誤操作防止機能を有効に利用することができ、しかも、タッチセンサを作動させたときでも、キー操作部のいずれかのキーが操作されたことを条件に誤操作防止モードを解除するようにしているので、タッチセンサを不用意に作動させたり或いはタッチセンサが故障した場合に不必要に誤動作防止モードを解除することを防止することができる。
【０００７】
【発明の実施の形態】
以下、本発明の一実施例につき、図面を参照しながら説明する。
まず、携帯電話機の全体構成を示す図２において、電話機本体１の表面側には、「開始」キー２ａ，「リダイヤル」キー２ｂ，「終了」キー２ｃ，「０」〜「９」の数字キー２ｄ，「＊」（アスタリスク）キー２ｅ，「＃」（シャープ）キー２ｆ、「電源」キー２ｇ，「クリア」キー２ｈ，「Ｆ」（ファンクション）キー２ｉを備えたキー操作部２、数字情報や文字情報或いは記号情報などを表示する表示手段としてのディスプレイ３、マイク（送話器）４並びにスピーカ（受話器）５が設けられている。又、電話機本体１の上部にはアンテナ６が設けられ、下部の両側面部たるグリップ部１ａには、タッチセンサ７の電極７ａ，７ｂ（図１参照）が設けられている。
【０００８】
次に、携帯電話機１の電気的な構成について、図１を参照して説明する。
制御手段としての制御回路８は、マイクロコンピュータを主体として構成されており、この制御回路８には、音声処理部９、データ変換部１０、送受信部１１が接続されているとともに、前述したキー操作部２、ディスプレイ３及びタッチセンサ７が接続されている。又、音声処理部９は、上記マイク４及びスピーカ５に接続されているとともに、データ変換部１０に接続されており、データ変換部１０は、送受信部１１に接続され、その送受信部１１は、アンテナ６に接続されている。
【０００９】
而して、音声処理部９は、マイク４から与えられた受話信号を符号化することによって音声データを生成して、その音声データをデータ変換部１０に与えるようになっており、データ変換部１０は、音声処理部９から与えられた音声データを通信データに変換して、その通信データを送受信部１１に与えるようになっている。そして、送受信部１１は、搬送波をデータ変換部１０から与えられた通信データで変調処理することにより、通信データを送信信号としてアンテナ６から基地局に送信するようになっている。
【００１０】
又、送受信部１１は、アンテナ６に基地局から受信信号として与えられた通信データを復調処理し、その復調処理された通信データをデータ変換部１０に与えるようになっているとともに、基地局から送信された着信信号を受信すると、着信検出信号を制御回路８に与えるようになっている。データ変換部１０は、送受信部１１から与えられた通信データを音声データに変換して、その音声データを音声処理部９に与えるようになっており、音声処理部９は、データ変換部１０から与えられた音声データを復号化することによって送話信号を生成し、その送話信号をスピーカ５に出力するようになっている。
【００１１】
タッチセンサ７は、前述したように一対の電極７ａ，７ｂを備えたもので、使用者が電話機本体１のグリップ部１ａを手で握ったときに電極７ａ，７ｂ間に人体を介して微弱電流が流れるようになっており、制御回路８は、その微弱電流を検出することによりタッチセンサ７がオン（作動）したものと判断するようになっている。
【００１２】
次に、本実施例の作用につき、図３及び図４のフローチャートをも参照して説明するに、図３は「通常モード」のルーチンを示し、図４は「誤操作防止モード」のルーチンを示す。
先ず、図３において、制御回路８は、「Ｆ＝１」の判断ステップＳ１で後述するフラグＦが「１」か否かを判断するもので、ここで「ＮＯ」と判断して「キー入力有り？」の判断ステップＳ２に移行し、「ＮＯ」であれば判断ステップＳ２を繰返す。キー操作部２のいずれかのキーが操作されたときには、制御回路８は、判断ステップＳ２で「ＹＥＳ」と判断して「設定コード？」の判断ステップＳ３に移行し、ここでは、キー操作によるキー入力が予め定められた設定コードか否かを判断する。例えば、キー操作が着信応答或いは発信のための「開始」キー２ａの操作であった場合には、制御回路８は、判断ステップＳ３で「ＮＯ」と判断して「通常動作」の処理ステップＳ４に移行し、通常の受信動作或いは送信動作が行なわれる。
【００１３】
尚、前述のキー操作がディスプレイ３に何らかの表示を行なわせるためのものであった場合には、制御回路８は、処理ステップＳ４に移行したときにそのための表示信号をディスプレイ３に送って目的の表示を行なわせる。そして、処理ステップＳ４が終了すれば、制御回路８は判断ステップＳ２に戻るようになる。
【００１４】
さて、制御回路８による誤操作防止機能を利用する場合につき述べる。誤操作防止モードに設定する設定コードは、例えば「Ｆ」キー２ｉを操作し、その後に「＊」キー２ｅを操作したときに生じるものとする。従って、以上のようなキー操作が行なわれると、制御回路８は、判断ステップＳ２で「ＹＥＳ」と判断し、更に、判断ステップＳ３でも「ＹＥＳ」と判断して「誤操作防止モード」のルーチンになる。
【００１５】
以下、図４を参照する。制御回路８は、先ず、「Ｆ←０」の処理ステップＴ１となってフラグＦを「０」にし、次の「着信有り？」の判断ステップＴ２に移行する。制御回路８は、この判断ステップＴ２では、送受信部１１から着信検出信号が与えられた否かを判断するもので、「ＮＯ」のときには「キー入力有り？」の判断ステップＴ３に移行し、ここでは、キー操作があったか否かを判断して「ＮＯ」のときには判断ステップＴ２に戻る。
【００１６】
制御回路８は、キー操作があって、判断ステップＴ３で「ＹＥＳ」と判断したときには、「解除コード？」の判断ステップＴ４に移行し、ここでは、前述のキー操作により解除コードが入力されたか否かを判断する。制御回路８は、キー操作が解除コードを示すものではないときには、判断ステップＴ４で「ＮＯ」と判断して「タッチセンサオン？」の判断ステップＴ５に移行し、ここでは、タッチセンサ７がオンしているか否かを判断する。そして、制御回路８は、タッチセンサ７がオンされていないときには、判断ステップＴ５で「ＮＯ」と判断して判断ステップＴ２に戻るようになる。以上の判断ステップＴ３，Ｔ４，Ｔ５及びＴ２の動作が誤操作防止機能を示すものであり、キー操作による処理は無効化されることになる。
【００１７】
制御回路８は、送受信部１１から着信検出信号が与えられたときには、判断ステップＴ２で「ＹＥＳ」と判断して「報知」の処理ステップＴ６に移行し、スピーカ５から着信報知音を発生させる。この場合、使用者は、着信報知音の発生により着信を知って、これに応答すべく電話機本体１のグリップ部１ａを手で握ると、使用者によりグリップ部１ａが握られたことによりタッチセンサ７がオンするようになる。そして、使用者がキー操作部２の任意のキーを操作すると、制御回路８は、判断ステップＴ３で「ＹＥＳ」と判断し、次の判断ステップＴ４では「ＮＯ」と判断して判断ステップＴ５になり、ここでは、前述したようにタッチセンサ７がオンしていることにより「ＹＥＳ」と判断して，「タイマスタート」の処理ステップＴ７に移行する。そして、制御回路８は、処理ステップＴ７では、内蔵のタイマに所定時間の計時動作を開始させて、次の「Ｆ←１」の処理ステップＴ８になり、ここでは、フラグＦを「１」にして「通常モード」に復帰するようになる。
【００１８】
そこで、再び図３を参照する。制御回路８は、「通常モード」になると、判断ステップＳ１で「ＹＥＳ」と判断し、次の「着信有り？」の判断ステップＳ５に移行し、ここでは、「ＹＥＳ」と判断して「受信動作」の処理ステップＳ６に移行し、着信に対する応答動作が行われる。即ち、制御回路８は、使用者が着信に応答すべく「開始」キー２ａが操作されると、「通話（終話までを含む）」の処理ステップＳ７に移行して着信による通常の通話がなされるものである。更に、制御回路８は、処理ステップＳ７による通話が終了したときには、「タイマ再スタート」の処理ステップＳ８に移行して前記タイマを再スタートさせ、次いで「タイマ終了？」の判断ステップＳ９に移行し、タイマが所定時間の計時動作を終了した否かを判断する。もし、このときにタイマが所定時間の計時動作を終了している場合には、制御回路８は、再び「誤操作防止モード」のルーチンに戻るようになる。
【００１９】
一方、制御回路８は、処理ステップＳ７の終了後も判断ステップＳ９で「ＮＯ」と判断したときには、判断ステップＳ５で「ＮＯ」と判断して「キー入力有り？」の判断ステップＳ１０に移行し、ここでは、キー操作部２によるキー操作がないときには「ＮＯ」と判断して判断ステップＳ９に移行し、以下、判断ステップＳ９，Ｓ５及びＳ１０を繰返すようになる。そして、タイマが所定時間の計時動作を終了すれば、制御回路８は、判断ステップＳ９において「ＹＥＳ」と判断して「誤操作防止モード」に移行する。又、この判断ステップＳ９，Ｓ５及びＳ１０の繰返しの動作中において、制御回路８が再び送受信部１１から着信検出信号を受けたときには、制御回路８は、判断ステップＳ５で再び「ＹＥＳ」と判断して処理ステップＳ６に移行した後、処理ステップＳ７に移行するようになる。従って、再着信に対しても応答が可能になる。
【００２０】
以上は、「誤操作防止モード」において着信に対した応答する場合について述べたものであるが、この他に、１１０番通報或いは１１９番通報のような緊急発信を行ないたい場合もある。即ち、使用者が電話機本体１のグリップ部１ａを握った上でキー操作部２の任意のキーを操作すると、制御回路８は、図４の判断ステップＴ２で「ＮＯ」と判断した後、判断ステップＴ３，Ｔ４，Ｔ５，処理ステップＴ７及びＴ８を経て図３の「通常モード」になる。
【００２１】
制御回路８は、以上のようにして「通常モード」になると、判断ステップＳ１で「ＹＥＳ」と判断して判断ステップＳ５に移行し、ここでも「ＮＯ」と判断して「キー入力有り？」の判断ステップＳ１０に移行し、ここでは、キー操作部２によるキー入力の有無を判断して、キー入力があるときには「ＹＥＳ」と判断して「発信有り？」の判断ステップＳ１１に移行する。制御回路８は、この判断ステップＳ１１では、使用者が発信をすべく「開始」キー２ａが操作されたか否かを判断し、「ＹＥＳ」のときには、「送信動作」の処理ステップＳ１２に移行し、ここでは、所定の送信動作を行なった後、「通話（終話までを含む）」の処理ステップＳ７に移行して発信による通常の通話がなされるようになる。
【００２２】
ところで、制御回路８は、上述したように、「発信有り？」の判断ステップＳ１１に移行したときに「ＮＯ」と判断した場合には、「解除コード？」の判断ステップＳ１３に移行し、ここでは、キー操作部２によるキー入力が解除コードか否かを判断する。そして、制御回路８は、この判断ステップＳ１３で「Ｎ０」と判断したときには、「キー入力に応じた処理（メモリ検索等）」の処理ステップＳ１４に移行し、ここでは、キー操作部２によるキー入力に応じた処理が行われる。例えば、制御回路８は、キー入力が制御回路８内のメモリに記憶された電話番号，住所，氏名などのデータを要求するものであった場合には、そのメモリに記憶された電話番号，住所，氏名などのデータを読出してディスプレイ３に表示させ、その後、処理ステップＳ８に移行するようになる。
【００２３】
尚、制御回路８は、「誤操作防止モード」において、キーが操作され、且つ、そのキー入力が、例えば設定コードと同様に、「Ｆ」キー２ｉを操作し、その後に「＊」キー２ｅを操作することによる解除コードのときには、図４の判断ステップＴ３で「ＹＥＳ」と判断した後、判断ステップＴ４でも「ＴＥＳ」と判断して「通常モード」に戻る。この場合には、制御回路８は処理ステップＴ８は経てないので、フラグＦは「０」であり、従って、図３の判断ステップＳ１では「ＮＯ」と判断して判断ステップＳ２に移行するようになり、誤操作防止機能は解除されたことになるものである。
【００２４】
又、制御回路８は、「誤操作防止モード」から「通常モード」に移行した場合において、判断ステップＳ１，Ｓ５，Ｓ１０及びＳ１１を経て「解除コード？」の判断ステップＳ１３に移行したときに、キー操作部２によるキー入力が上述したような解除コードで「ＹＥＳ」と判断すると、「Ｆ←０」の処理ステップ１５に移行し、ここでは、フラグＦを「０」に戻して処理ステップＳ１に戻るようになる。そして、制御回路８は、この判断ステップＳ１では「ＮＯ」と判断して判断ステップＳ２移行するようになり、誤操作防止機能は解除されたことになるものである。
【００２５】
このように本実施例によれば、使用者が電話機本体１のグリップ部１ａを握ることによりタッチセンサ７をオンさせたときには、キー操作部２のいずれかのキーが操作されたことを条件に「誤操作防止モード」が所定時間だけ解除されるので、キー操作部２のキー操作により解除コードを入力しなくても「通常モード」に戻るようになり、従って、「誤操作防止モード」にあっても、着信応答或いは緊急発信若しくはキー入力に応じた処理などの通常動作を行なう場合に慌てて解除モードのキー操作を行なう必要がなくて、操作が簡単になる。
【００２６】
更に、タッチセンサ７のオンとキー操作部２のいずれかのキーの操作とを条件に「通常モード」にしたときには所定時間後に「誤操作防止モード」に自動的に戻るので、利便性に優れたものとなって、従来とは異なり、「誤操作防止モード」に戻すことを忘れたり或いは解除操作の煩わしさから初めから「誤操作防止モード」を設定しないというようなことはなくなり、誤操作防止機能を有効に利用することができる。
【００２７】
しかも、タッチセンサ７をオンさせたときでも、キー操作部２のいずれかのキーが操作されたことを条件に「誤操作防止モード」を解除するようにしているので、タッチセンサ７を不用意にオンさせたり或いはタッチセンサ７が短絡故障した場合に、不必要に「誤動作防止モード」を解除することを防止することができる。
【００２８】
尚、本発明は、上記し且つ図面に示す実施例にのみ限定されるものでなく、次のように変形または拡張することができる。
携帯電話機としては、ＰＨＳ（Personal Handyphone System（簡易型携帯電話機））でもよい。
設定コード及び解除コードの入力のためのキー操作は、実施例に示したものに限定されることはない。
【図面の簡単な説明】
【図１】本発明の一実施例を示す電気的構成のブロック線図
【図２】全体の斜視図
【図３】通常モードのフローチャート
【図４】誤操作防止モードのフローチャート
【符号の説明】
図面中、１は電話機本体、２はキー操作部、３はディスプレイ、７はタッチセンサ、８は制御回路（制御手段）を示す。
【図１】
0003791134.tif 000002
【図２】
0003791134.tif 000003
【図３】
0003791134.tif 000004
【図４】
0003791134.tif 000005